(57)【要約】      （修正有）【課題】美観の低下を抑制して製造コストの削減を図ることのできる断熱箱体を提供する。【解決手段】前面に開口部を有する内箱９と、内箱９の外側を覆う外箱８と、の間に発泡断熱材２３を充填した断熱箱体において、内箱９が開口部３ａ、４ａ、５ａの周縁２７から外側に延びる延設部２８と、延設部２８に凹設される溝部２９とを有するとともに、外箱８が溝部２９の前面を覆う前面部３５を有し、溝部２９の底面２９ａに発泡断熱材２３の発泡時のガス抜孔３０を設けた。【選択図】図５
2015001329.tif 000002
【特許請求の範囲】
【請求項１】
前面に開口部を有する内箱と前記内箱の外側を覆う外箱との間に発泡断熱材を充填した断熱箱体において、
前記内箱が前記開口部の周縁から外側に延びる延設部と、前記延設部に凹設される溝部とを有するとともに、
前記外箱が前記溝部の前面を覆う前面部を有し、前記溝部の底面に前記発泡断熱材の発泡時のガス抜孔を設けたことを特徴とする断熱箱体。
【請求項２】
前記溝部の底面に後方に突出する突起部と、前記前面部に連続してＵ字状に屈曲する保持部と、を設け、
前記保持部は前記延設部の前面と前記突起部との間を弾性により挟持することを特徴とする請求項１に記載の断熱箱体。
【請求項３】
前記内箱内を上下方向に仕切って複数の区画を形成する仕切部を備え、前記溝部に連通して前記前面部の内縁よりも内側に延びる連通路を前記仕切部上又は前記仕切部に隣接して前記延設部上に設けたことを特徴とする請求項１又は２に記載の断熱箱体。
【請求項４】
前記断熱箱体の上面又は底面に前記発泡断熱材が注入される注入口が設けられることを特徴とする請求項１〜３のいずれかに記載の断熱箱体。
【発明の詳細な説明】
【技術分野】
【０００１】
本発明は発泡断熱材のガス抜孔を有する断熱箱体に関する。
【背景技術】
【０００２】
従来の冷蔵庫等で使用される断熱箱体は特許文献１に開示されている。断熱箱体は前面に開口部を有する内箱と、内箱の外側を覆う外箱とを有し、内箱と外箱との間にはポリウレタンフォーム等の発泡断熱材が充填される。
【０００３】
断熱箱体の底面には注入口が設けられ、内箱の開口部の周縁から外側に延びる延設部には複数のガス抜孔が設けられる。
【０００４】
注入口からは発泡断熱材の原液が注入され、内箱と外箱との間に発泡断熱材が充填される。この時、外箱と内箱との間に発生するガスはガス抜孔から排気される。これにより、ボイドの発生を抑制して発泡断熱材を充填することができる。
【先行技術文献】
【特許文献】
【０００５】
【特許文献１】特開２０１１−１９６６４４号公報
【発明の概要】
【発明が解決しようとする課題】
【０００６】
上記従来の断熱箱体によると、発泡断熱材がガス抜孔から漏出する場合があり、漏出した発泡断熱材を除去するために製造コストが増加するという問題がある。さらに、ガス抜孔により美観が損なわれるため、ガス抜孔を覆う部材を設ける必要があり、断熱箱体の製造コストが増加するという問題もある。
【０００７】
本発明は、美観の低下を抑制して製造コストの削減を図ることのできる断熱箱体を提供することを目的とする。
【課題を解決するための手段】
【０００８】
上記目的を達成するために本発明は、前面に開口部を有する内箱と前記内箱の外側を覆う外箱との間に発泡断熱材を充填した断熱箱体において、前記内箱が前記開口部の周縁から外側に延びる延設部と、前記延設部に凹設される溝部とを有するとともに、前記外箱が前記溝部の前面を覆う前面部を有し、前記溝部の底面に前記発泡断熱材の発泡時のガス抜孔を設けたことを特徴とする。
【０００９】
また本発明は、上記構成の断熱箱体において、前記溝部の底面に後方に突出する突起部と、前記前面部に連続してＵ字状に屈曲する保持部と、を設け、前記保持部は前記延設部の前面と前記突起部との間を弾性により挟持することを特徴とする。
【００１０】
また本発明は、上記構成の断熱箱体において、前記内箱内を上下方向に仕切って複数の区画を形成する仕切部を備え、前記溝部に連通して前記前面部の内縁よりも内側に延びる連通路を前記仕切部上又は前記仕切部に隣接して前記延設部上に設けたことを特徴とする。
【００１１】
また本発明は、上記構成の断熱箱体において、前記断熱箱体の上面又は底面に前記発泡断熱材が注入される注入口が設けられることを特徴とする。
【発明の効果】
【００１２】
本発明によると、外箱が溝部の前面を覆う前面部を有し、溝部の底面にガス抜孔を設けたため、ガス抜孔から発泡断熱材が漏出した場合も溝部内に保持されて外観不良を防止することができる。これにより、美観の低下を抑制して製造コストの削減を図ることができる。
【図面の簡単な説明】
【００１３】
【図１】本発明の第１実施形態の冷蔵庫を示す側面断面図
【図２】本発明の第１実施形態の冷蔵庫の断熱箱体の斜視図
【図３】本発明の第１実施形態の冷蔵庫の断熱箱体の上面図
【図４】本発明の第１実施形態の冷蔵庫の断熱箱体の底面図
【図５】図２のＡ−Ａ線で切断した底面断面図
【図６】本発明の第１実施形態の冷蔵庫の断熱箱体の前面部を取り除いた斜視図
【図７】図６のＸ部を拡大した正面図
【図８】本発明の第２実施形態の冷蔵庫の断熱箱体の連通路を示す正面図
【図９】本発明の第３実施形態の冷蔵庫を示す側面断面図
【図１０】本発明の第３実施形態の冷蔵庫の断熱箱体を示す斜視図
【図１１】図１０のＢ−Ｂ線で切断した断面図
【図１２】図１１のＥ矢視図
【図１３】図１０のＣ−Ｃ線で切断した断面図
【図１４】図１３のＦ矢視図
【図１５】本発明の第３実施形態の冷蔵庫の断熱箱体を示す背面図
【図１６】本発明の第３実施形態の冷蔵庫の断熱箱体を示す斜視図
【発明を実施するための形態】
【００１４】
＜第１実施形態＞
以下に本発明の実施形態を図面を参照して説明する。図１は第１実施形態の冷蔵庫１を示す側面断面図である。冷蔵庫１は外箱８と内箱９との間にポリウレタンフォーム等の発泡断熱材２３を充填した断熱箱体２を有している。
【００１５】
断熱箱体２には上方から順に冷蔵室３、冷凍室４、野菜室５が設けられる。冷蔵室３と冷凍室４とは内箱９に予め別に形成され組み付けられる仕切部６によって仕切られ、冷凍室４と野菜室５とは内箱９に予め別に形成され組み付けられる仕切部７によって仕切られる。仕切部６、７内には発泡断熱材２３が充填される。
【００１６】
冷蔵室３は貯蔵物を冷蔵保存し、前面の開口部３ａは回動式の扉３ｂにより開閉される。冷凍室４は貯蔵物を冷凍保存し、前面の開口部４ａは貯蔵物を収納する収納ケース１２と一体に形成された引き出し式の扉４ｂにより開閉される。
【００１７】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。
【００１８】
野菜室５の背面側には機械室１６が設けられる。機械室１６には冷凍サイクルを運転する圧縮機１７が配される。機械室１６の背面は機械室カバー（不図示）により塞がれる。
【００１９】
冷凍室４の背後には冷気が流通する冷気通路２１が設けられる。冷気通路２１には冷凍室４内に臨む吐出口２１ａ及び戻り口２１ｂが開口する。冷気通路２１には冷凍サイクルの低温部となる冷却器１５が配される。冷却器１５の上方には送風ファン１４が配される。
【００２０】
冷蔵室３の背後にはダンパ（不図示）を介して冷気通路２１に連通する冷気通路２２が設けられる。冷気通路２２には冷蔵室３内に臨む吐出口２２ａが開口する。冷蔵室３には野菜室５に導通する導通路（不図示）が導出され、冷蔵室３から流出した冷気は導通路を介して野菜室５に吐出される。
【００２１】
図２は断熱箱体２の前方から見た斜視図を示している。内箱９は樹脂成形品により形成され、外箱８は鋼板により形成される。外箱８は内箱９に対して所定量隔てて内箱９の外側に配され、両者間に発泡断熱材２３が充填される。
【００２２】
外箱８は上面板４１、側面板４３、４４（図４参照）、背面板４０（図３参照）及び底面板４２を連結して構成される。上面板４１、側面板４３、４４、背面板４０及び底面板４２は、それぞれ断熱箱体２の上面、両側面、背面及び底面を形成する。
【００２３】
図３、図４は断熱箱体２の上面図及び底面図を示している。上面板４１及び底面板４２には発泡断熱材２３の原液が注入される注入口１８、１９がそれぞれ設けられる。断熱箱体２が大型の場合には、上面板４１及び底面板４２にそれぞれ複数の注入口１８、１９を設けてもよい。尚、断熱箱体２は背面板４０を下方に面して配置して、注入口１８、１９から発泡断熱材２３の原液が注入される。
【００２４】
図５は図２のＡ−Ａ線で切断した底面断面図を示している。内箱９は開口部３ａ（開口部４ａ、５ａも同様）の周縁２７から外側に延びる延設部２８を有している。延設部２８の中央には溝部２９が凹設され、外箱８には溝部２９を覆う前面部３５が設けられる。
【００２５】
図６は前面部３５を省いた断熱箱体２の斜視図を示している。図５、図６において、溝部２９は断熱箱体２の周壁に沿って環状に形成される。溝部２９の底面２９ａにはガス抜孔３０が開口し、溝部２９の背面側には突起部３１が突設される。
【００２６】
ガス抜孔３０は突起部３１よりも内側（内箱９側）に配され、発泡断熱材２３が漏出しない程度の大きさ（例えば直径１ｍｍ）に形成される。これにより、発泡断熱材２３が充填された際に発生するガスが矢印Ｄ１に示すようにガス抜孔３０から溝部２９内に排気される。
【００２７】
この時、ガス抜孔３０から発泡断熱材２３が漏出しても溝部２９内に保持されるとともに溝部２９が前面部３５により覆われる。このため、漏出した発泡断熱材２３を除去する必要がない。
【００２８】
前面部３５は金属板から成る外箱８の前端を内側に折曲して形成される。また、外箱８には前面部３５に連続する保持部３６が形成される。保持部３６は外箱８を形成する金属板を前面部３５の内縁で折り返して延設部２８の外側で更にＵ字状に屈曲して形成される。
【００２９】
保持部３６はＵ字状に形成されるため、延設部２８の前面２８ａと突起部３１とを弾性により挟持する。これにより、外箱８により内箱９が保持され、発泡断熱材２３は突起部３１の内面側まで充填される。
【００３０】
図７は図６のＸ部を拡大した正面図を示している。内箱９の延設部２８には仕切部６の左右の端部に隣接して開口部３ａ、４ａと溝部２９とをそれぞれ連通させる連通路９ｂが設けられる。また、連通路９ｂは仕切部７の左右の端部にも隣接して設けられる。連通路９ｂの前面は前面部３５により覆われる。
【００３１】
この時、前面部３５より内側の連通路９ｂの前面が露出するが、連通路９ｂが仕切部６、７に隣接するため目立たなく、断熱箱体２の美観の低下を抑制することができる。また、溝部２９内に充填したガスは連通路９ｂを介して矢印Ｄ２、Ｄ３に示すように開口部３ａ、４ａ内に排気される。
【００３２】
本実施形態によると、内箱８の延設部２８に凹設した溝部２９の底面２９ａにガス抜孔３０を設けたので、ガス抜孔３０から漏出した発泡断熱材２３を溝部２９内に保持することができる。また、外箱８に設けた前面部３５によって溝部２９が覆われるため、発泡断熱材２３の漏出が防止される。従って、ガス抜孔３０を覆うカバーを別途設ける必要がなく、漏出した発泡断熱材２３の除去を不要にできる。従って、断熱箱体２のコストを削減することができる。
【００３３】
また、保持部３６は延設部２８の前面２８ａと突起部３１との間を弾性により挟持するため、外箱８により内箱９を容易に保持することができる。
【００３４】
また、内箱９内を上下方向に仕切って複数の区画を形成する仕切部６、７に隣接して連通路９ｂを設けたため、連通路９ｂを介して容易に発泡断熱材２３の充填時のガスを排気することができるとともに、連通路９ｂを目立たなくして断熱箱体２の美観低下を抑制することができる。
【００３５】
また、断熱箱体２の上面板４１（上面）又は底面板４２（底面）に発泡断熱材２３が注入される注入口１８、１９が設けられるため、ユーザから見えにくい位置に注入口１８、１９を配して断熱箱体２の外観品質を向上できる。
【００３６】
＜第２実施形態＞
次に、第２実施形態の冷蔵庫１について説明する。本実施形態は第１実施形態の連通路９ｂ（図７参照）に替えて連通路３７が設けられる。その他の部分は第１実施形態と同様である。図８は本実施形態の断熱箱体２の仕切部６の右の端部及び溝部２９の正面図（図６のＸ部に相当する部分）である。説明の便宜上、第１実施形態と同様の部分には同一の符号を付している。
【００３７】
仕切部６の前面には溝部２９に連通して前面部３５の内縁よりも内側に延びる連通路３７が設けられている。また、仕切部６の前面には前面を覆うカバー（不図示）が仕切部６と所定距離だけ離れて設けられる。これにより、連通路３７を介して発泡断熱材２３の発泡時にはガスが矢印Ｄ４、Ｄ５の方向に排出される。
【００３８】
また、仕切部６の左端部にも同様に連通路３７が設けられとともに、仕切部７の左右の端部にも連通路３７が設けられる。尚、連通路３７を仕切部６、７の上下面に設けてもよい。
【００３９】
本実施形態によると、仕切部６には溝部２９に連通して前面部３５の内縁よりも内側に延びる連通路３７を仕切部６上に設けているため、連通路３７を介して発泡断熱材２３の発泡時にはガスを容易に排気することができるとともに、連通路３７を目立たなくして断熱箱体２の美観低下を抑制することができる。
【００４０】
＜第３実施形態＞
次に、第３実施形態の冷蔵庫１について説明する。本実施形態は第１実施形態に対して断熱箱体２の背面部３９の構造が異なっており、その他の部分は第１実施形態と同様である。図９、図１０は本実施形態の断熱箱体２を示す側面断面図、背面から見た斜視図を示す。説明の便宜上、第１実施形態と同様の部分には同一の符号を付している。
【００４１】
断熱箱体２の背面部３９の外箱８と内箱９との間には真空断熱材４８が設けられている。真空断熱材４８は厚さが均一の略矩形状に形成され、上端は上面板４１の近傍まで、下端は機械室１６の近傍まで延びている。
【００４２】
背面部３９に設けられる背面板４０には注入口４５が設けられている。注入口４５は真空断熱材４８と背面投影した時に重ならない位置に４つ設けられ、それぞれの注入口４５から発泡断熱材２３の原液が注入される。
【００４３】
図１１は図１０のＢ−Ｂ線で切断した底面断面図を示し、図１２は図１１のＥ矢視図を示している。側面板４４は後端をＳ字状に屈曲して上下に延びる溝部４４ａが形成されている。
【００４４】
溝部４４ａの側壁４４ｃにはガス抜孔４４ｂが上下方向に周期ｙ１（１００〜２００ｍｍ程度）で所定の大きさ（直径１〜１．５ｍｍ程度）で並設されている。また、側壁４４ｃの端部のＵ字部４４ｄは背面板４０に当接し、Ｕ字状に形成されている。
【００４５】
背面板４０は両側端を前方に屈曲する屈曲部４０ａを有し、屈曲部４０ａは溝部４４ａに挿入されている。屈曲部４０ａには背面から遠い順に突起部４０ｂ、ガス抜孔４０ｃが設けられている。突起部４０ｂは直径０．５〜１．０ｍｍ程度の大きさで、上下方向に周期ｙ３（５０〜１００ｍｍ程度）で並設されている。
【００４６】
突起部４０ｂの先端が溝部４４ａの側壁４４ｅに当接することにより、屈曲部４０ａと溝部４４ａとの間に所定の隙間が形成され、これにより発泡断熱材２３の発泡時のガスが排出される通路４９が形成される。
【００４７】
ガス抜孔４０ｃは所定の直径（１〜１．５ｍｍ程度）で、上下方向に周期ｙ２（１００〜２００ｍｍ程度）で並設されている。また、側面板４４のガス抜孔４４ｂが並ぶ並設方向（上下方向）と、ガス抜孔４０ｃが並ぶ並設方向とは同じ方向であるが、側面投影した時に重ならないように上下に（周期５０〜１００ｍｍ程度）ずれて配されている。
【００４８】
また、ガス抜孔４０ｃ、４４ｂの中心から溝部４４ａの底部までの距離ｙ０は溝部４４ａの深さの１／３程度である。また、対向する側面板４４も同様に形成されている。
【００４９】
図１３は図１０のＣ−Ｃ線で切断した側面断面図を示し、図１４は図１３のＦ矢視図を示している。上面板４１の後端には取手部材４６が設けられている。取手部材４６は取手４７及び溝部４６ａを有している。取手４７は取手部材４６の背面の左右端に凹設されている。これにより、ユーザが断熱箱体２を移動する際に取手４７を把持することができる。
【００５０】
溝部４６ａは下方を開口して形成され、溝部４６ａには背面板４０の上端部４０ｆが挿入されている。上端部４０ｆにはＶ字部４０ｄが設けられ、Ｖ字部４０ｄの先端部が溝部４６ａの側壁４６ｂと当接している。
【００５１】
Ｖ字部４０ｄの下壁４０ｅにはガス抜孔４０ｈが所定の直径（１〜１．５ｍｍ程度）で、左右方向に周期ｙ４（５０〜１００ｍｍ程度）で並設されている。また、溝部４６ａの背面側の側壁４６ｃと背面板４０との間には所定の隙間が形成されている。これにより、発泡断熱材２３の発泡時のガスが排出される通路５０が形成されている。
【００５２】
図１５は背面板４０の下端部を示す平面図である。背面板４０の下端部には多数のガス抜孔４０ｋ（直径１〜１．５ｍｍ）が設けられている。本実施形態では、５個のガス抜孔４０ｋからまる第１パターンを左右方向に所定の周期ｙ５（例えば、４０〜５０ｍｍ程度）で繰り返されている。
【００５３】
また、背面板４０の左右の端部では、第１パターンよりも数量の少ないガス抜孔４０ｋからなる第２パターンが周期ｙ５で繰り返されている。これにより、左右方向の中央部のガス抜孔４０ｋの密度が両端部よりも大きくなっている。
【００５４】
ガス抜孔４０ｋは機械室１６のカバー（不図示）により、覆われている。また、夫々のパターンの上端のガス抜孔４０ｋと下端のガス抜孔４０ｋとの間隔ｙ６は１５〜２０ｍｍ程度で形成されている。
【００５５】
上記構成の断熱箱体２において、背面板４０を上方に面して断熱箱体２が配置され、それぞれの注入口４５から発泡断熱材２３の原液が注入される。この時、内箱９と外箱８との間に発泡断熱材２３が充填されて発泡する際、ガスが発生する。この時、ガスは側面板４４の後端では図１１、図１６に示すようにガス抜孔４４ｂ、４０ｃを介して通路４９から矢印Ｄ６に示すように排出される。
【００５６】
また、図１３、図１６に示すようにガスは背面板４０の上端部４０ｆではガス抜孔４０ｈを介して、通路５０から矢印Ｄ７に示すように排出される。
【００５７】
また、各注入口４５から注入量を制御することにより、背面板４０の下端近傍で発泡断熱材２３の充填が完了させるようになっている。このため、背面板４０の下端近傍にガス抜孔４０ｋを多数設けることにより、矢印Ｄ８に示すように充填時のガスを確実に排出することができる。
【００５８】
本実施形態によると、側面板４４は後端を屈曲して形成される溝部４４ａ内に背面板４０の両側端を屈曲した屈曲部４０ａが挿入される。そして、溝部４４ａの側壁４４ｃにはガス抜孔４４ｂが設けられ、屈曲部４０ａにはガス抜孔４０ｃが設けられている。
【００５９】
このため、ガス抜孔４４ｂ及びガス抜孔４０ｃが露出しないため、これらを覆う部材を別途必要とせず、美観の低下を防止して、断熱箱体２及び冷蔵庫１のコストを削減することができる。
【００６０】
この時、ガス抜孔４４ｂとガス抜孔４０ｃとが側面投影において、重ならない位置に配置される。このため、ガス抜孔４４ｂから露出した発泡断熱材２３が側壁４４ｃと屈曲部４０ａとの間に保持され、通路４９を介した外側への露出が防止される。
【００６１】
また、取手部材４６に設けた溝部４６ａ内に挿入した背面板４０の上端部４０ｆにガス抜孔４０ｈが設けられる。このため、ガス抜孔４０ｈが露出しないため、これらを覆う部材を別途必要とせず、美観の低下を防止して、断熱箱体２及び冷蔵庫１のコストを削減することができる。
【００６２】
また、背面板４０の下端に設けたガス抜孔４０ｋが機械室１６のカバー（不図示）で覆われる。このため、ガス抜孔４０ｋが露出しないため、これらを覆う部材を別途必要とせず、美観の低下を防止して、断熱箱体２及び冷蔵庫１のコストを削減することができる。
【産業上の利用可能性】
【００６３】
本発明によると、発泡断熱材のガス抜孔を有する断熱箱体に利用することができる。
【符号の説明】
【００６４】
１    冷蔵庫
２    断熱箱体
３      冷蔵室
３ａ    開口部
４      冷凍室
４ａ    開口部
５      野菜室
５ａ    開口部
６、７  仕切部
８      外箱
９      内箱
９ａ    内壁
９ｂ    連通路
１０    収納ケース
１１    小物ケース
１２    収納ケース
１４    送風ファン
１５    冷却器
１６    機械室
１７    圧縮機
１８    注入口
１９    注入口
２０    冷気通路
２１    冷気通路
２２    冷気通路
２３    発泡断熱材
２７    周縁
２８    延設部
２８ａ  前面
２９    溝部
２９ａ  底面
３０    ガス抜孔
３１    突起部
３５    前面部
３６    保持部
３７    連通路
３９    背面部
４０    背面板
４０ａ  屈曲部
４０ｂ  突起部
４０ｃ  ガス抜孔
４０ｄ  Ｖ字部
４０ｅ  下壁
４０ｆ  上端部
４０ｈ  ガス抜孔
４０ｋ  ガス抜孔
４１    上面板
４２    底面板
４３    側面板
４４    側面板
４４ａ  溝部
４４ｂ  ガス抜孔
４４ｃ  側壁
４４ｄ  Ｕ字部
４４ｅ  側壁
４５    注入口
４６    取手部材
４６ａ  溝部
４６ｂ  側壁
４６ｃ  側壁
４７    取手
４８    真空断熱材
４９    通路
５０    通路
【図１】
2015001329.tif 000003
【図２】
2015001329.tif 000004
【図３】
2015001329.tif 000005
【図４】
2015001329.tif 000006
【図５】
2015001329.tif 000007
【図６】
2015001329.tif 000008
【図７】
2015001329.tif 000009
【図８】
2015001329.tif 000010
【図９】
2015001329.tif 000011
【図１０】
2015001329.tif 000012
【図１１】
2015001329.tif 000013
【図１２】
2015001329.tif 000014
【図１３】
2015001329.tif 000015
【図１４】
2015001329.tif 000016
【図１５】
2015001329.tif 000017
【図１６】
2015001329.tif 000018